(57)【特許請求の範囲】
【請求項１】
ＴＶ受像機の電源がオン／オフのどちらの電源状態であるかを検知する検知手段、前記検知手段により検知された前記ＴＶ受像機の電源状態に応じてオン、オフ用の電源制御信号をアンテナケーブルを介してブースタに送信する送信手段を備えると共に、アンテナより受信した受信信号を増幅すると共にアンテナケーブルを介して前記ＴＶ受像機へ送出する増幅手段を含む内部回路と前記内部回路に電源を供給する電源部と前記送信手段により送信された前記電源制御信号に基づいて前記電源部の電源供給をオン／オフする電源制御手段を有する前記ブースタを備え、
前記アンテナケーブルを介して前記ブースタからの前記受信信号を前記ＴＶ受像機に供給する受信信号コンセントと前記ＴＶ受像機へ電力を供給する電源コンセントを設けた壁面埋め込み型のコンセント装置が、前記検知手段と前記送信手段を備えていることを特徴とするＴＶ受信システム。
【請求項２】
前記検知手段として前記ＴＶ受像機への供給電力の変化を検知することにより前記ＴＶ受像機の電源状態を検知する手段を用いることを特徴とする請求項１に記載のＴＶ受信システム。
【請求項３】
前記検知手段として前記ＴＶ受像機の局部発振信号の漏れを検知することにより前記ＴＶ受像機の電源状態を検知する手段を用いることを特徴とする請求項１に記載のＴＶ受信システム。
【請求項４】
前記検知手段として前記ＴＶ受像機の物理的変化を感知することにより前記ＴＶ受像機の電源状態を検知する手段を用いることを特徴とする請求項１に記載のＴＶ受信システム。
【請求項５】
前記センサが前記ＴＶ受像機のオン／オフの電源状態により変化する、画面の光量、スピーカの音量、前記ＴＶ受像機自身より発生する熱量の物理的変化の内、少なくとも二つ以上を感知することを特徴とする請求項４に記載のＴＶ受信システム。
【発明の詳細な説明】
【０００１】
【発明の属する技術分野】
本発明は、ブースタ電源の自動オン／オフ機能付きＴＶ受信システムに関するものである。
【０００２】
【従来の技術】
図６に示すように従来のＴＶ受信システムはブースタ１、コンセント装置２、ＴＶ受像機３と同軸ケーブル８、８ａより構成されていたものが知られている。
【０００３】
前記ブースタ１はアンテナ（図示せず）より受信された受信信号が入力される入力端子１２と、前記入力端子１２に入力された受信信号を増幅し送出する機能を含む内部回路と、前記内部回路により増幅された受信信号を前記コンセント装置２に前記同軸ケーブル８を介して出力する出力端子１３とを備えると共に、一端に電源プラグ２０を備えた電源コード１１を導出し、前記電源プラグ２０を電源コンセント９に差し込むことにより電力の供給を受けていた。
【０００４】
前記コンセント装置２は前記ＴＶ受像機３に前記受信信号を出力する受信信号コンセント４と前記ＴＶ受像機３に電源を供給する電源コンセント５を同一面上に設けている。また、前記コンセント装置２は壁面埋め込み型であり、前記受信信号コンセント４と前記電源コンセント５を備えている面が壁面の表面に位置するように壁面に埋め込まれ、壁面内部で前記同軸ケーブル８により前記ブースタ１の出力端子１３と接続されている。
【０００５】
前記ＴＶ受像機３はアンテナ端子（図示せず）に接続した同軸ケーブル８ａを前記コンセント装置２の前記受信信号コンセント４に接続し、また電源コード１０の電源プラグを前記コンセント装置２の前記電源コンセント５に接続することにより、受信信号と電力の供給を受けている。
【０００６】
【発明が解決しようとする課題】
上記構成のＴＶ受信システムでは、前記ブースタ１はＴＶ受像機３とは独立して電源供給を受け、前記ＴＶ受像機３の電源状態のオン／オフ状態に関わらず、絶えず独立して電源が供給されていたので、無駄な電力を消費するという問題があった。
【０００７】
本発明は上記問題点に鑑みて為されたものであり、ブースタの無駄な電力消費を無くしたＴＶ受信システムを提供することを目的とするものである。
【０００８】
【課題を解決するための手段】
上記目的を達成するために、請求項１の発明では、ＴＶ受像機の電源がオン／オフのどちらの電源状態であるかを検知する検知手段、前記検知手段により検知された前記ＴＶ受像機の電源状態に応じてオン、オフ用の電源制御信号をアンテナケーブルを介してブースタに送信する送信手段を備えると共に、アンテナより受信した受信信号を増幅すると共にアンテナケーブルを介して前記ＴＶ受像機へ送出する増幅手段を含む内部回路と前記内部回路に電源を供給する電源部と前記送信手段により送信された前記電源制御信号に基づいて前記電源部の電源供給をオン／オフする電源制御手段を有する前記ブースタを備え、
前記アンテナケーブルを介して前記ブースタからの前記受信信号を前記ＴＶ受像機に供給する受信信号コンセントと前記ＴＶ受像機へ電力を供給する電源コンセントを設けた壁面埋め込み型のコンセント装置が、前記検知手段と前記送信手段を備えていることを特徴とする。
【０００９】
請求項２の発明では、前記検知手段として前記ＴＶ受像機へ供給電力の変化を検知することにより前記ＴＶ受像機の電源状態を検知する手段を用いることを特徴とする。
【００１０】
請求項３の発明では、前記検知手段として前記ＴＶ受像機の局部発振信号の漏れを検知することにより前記ＴＶ受像機の電源状態を検知する手段を用いることを特徴とする。
【００１１】
請求項４の発明では、前記検知手段として前記ＴＶ受像機の物理的変化を感知することにより前記ＴＶ受像機の電源状態を検知する手段を用いることを特徴とする。
【００１２】
請求項５の発明では、前記センサが前記ＴＶ受像機のオン／オフの電源状態により変化する、画面の光量、スピーカの音量、前記ＴＶ受像機自身より発生する熱量の物理的変化の内、少なくとも二つ以上を感知することを特徴とする。
【００１４】
【発明の実施の形態】
以下、図を参照して実施形態により本発明を説明する。
（実施形態１）
本実施形態１のＴＶ受信システムは、図１に示すように、ブースタ１、コンセント装置２、ＴＶ受像機３を基本構成としており、従来技術と変わらない箇所は同じ符号を付してその説明を省略し、本実施形態の要部となる前記コンセント装置２と前記ブースタ１を図１〜図３により説明する。
【００１５】
最初に図１を参照して前記コンセント装置２を説明する。前記コンセント装置２は前記ＴＶ受像機３への電力供給により電源のオン／オフ状態を検知する検知ユニット７と前記ブースタ１に電源制御信号を送信する機能を有した送信ユニット６を内蔵し、前記検知ユニット７と前記送信ユニット６とを近接配置している。
【００１６】
前記検知ユニット７は前記電源コンセント５を介して前記ＴＶ受像機１へ供給される電力を検知し所定値と比較することにより、検知した電力が所定値以下であれば、オフ用検知信号を前記送信ユニット６に出力する。図２に示すように前記送信ユニット６は増幅回路１６とチョークコイル６ａを備え、前記検知ユニット７より入力されたオフ用検知信号を前記増幅回路１６により直流１０Ｖの電圧信号として前記同軸ケーブル８を介して前記ブースタ１に送信する。また、前記検知ユニット７が消費電力の変化を検知し、検知した消費電力が所定値以上であれば、送信ユニット６にオフ用検知信号の出力を停止し、従って、前記送信ユニット６は前記直流１０Ｖの電圧信号の送信を停止する。前記ブースタ１からの受信信号は直流１０Ｖの電圧信号に重畳し、前記同軸ケーブル８を伝搬する。
【００１７】
次に図３を参照して前記ブースタ１を説明する。前記ブースタ１はリレーによる電源スイッチ１５と前記電源スイッチ１５を制御する電源制御ユニット１４を内蔵している。前記電源制御ユニット１４は前記送信ユニット６より送信され、チョークコイル１７を介して入力する直流１０Ｖの電圧信号の有無により、前記電源スイッチ１５に電源オン／オフ信号を出力し、その結果、前記電源スイッチ１５は前記ブースタ１の電源供給を制御する。（２１は増幅回路である。）
例えば、前記ＴＶ受像機３と前記ブースタ１の電源状態がオンであり、その後、前記ＴＶ受像機がオンからオフに切り替わると前記検知ユニット７は電源状態の変化、つまり、前記ＴＶ受像機３の消費電力を検知し、検知した消費電力が所定値以下となるので前記送信ユニット６にオフ用検知信号を出力し、前記送信ユニット６は前記増幅回路１６によりオフ用検知信号を増幅し、直流１０Ｖの電圧信号として、前記同軸ケーブル８を介して前記ブースタ１に送信する。前記ブースタ１は前記送信ユニット６から送信された直流１０Ｖの電圧信号を前記電源制御ユニット１５が受信判定し、前記電源スイッチ１５にオフ信号を出力して前記ブースタ１の電源供給を停止する。
（実施形態２）
実施形態１と同様の箇所は同じ符号を付してその説明を省略し、本実施形態の要部を説明する。
【００１８】
図４に示すように本実施形態の前記検知ユニット７は前記コンセント装置２に内蔵されると共に、前記送信ユニット６に近接配置される。前記検知ユニット７は前記ＴＶ受像機３に前記ＴＶコンセント４を介して出力するＴＶ受像機３の局部発振信号の漏れを検知し、局部発生信号の漏れを予め記憶した所定値と比較し、その結果により前記送信ユニット６に検知信号を送信する。
【００１９】
上述の実施形態１と実施形態２のように、前記コンセント装置２が前記検知ユニット７と前記送信ユニット６を備え、前記ブースタ１が前記電源スイッチ１５と電源制御ユニット１４を備えることにより、前記ＴＶ受像機３の電源状態に連動し前記ブースタ１の電源をオン／オフが行えるので、電力の消費を抑えることができる。また、前記コンセント装置２の内部に前記検知ユニット７と前記送信ユニット６を近接配置することにより、前記検知ユニット７から前記送信ユニット６の信号が容易に送信できると共に、前記コンセント装置２の小型化が可能となる。
（実施形態３）
実施形態１と同様の箇所は同じ符号を付してその説明を省略し、本実施形態の要部を説明する。
【００２０】
図５に示すように本実施形態の要部は前記ＴＶ受像機３の付近に配置し、前記ＴＶ受像機３の物理的変化を検知するセンサ装置１８をケーブル１９により前記コンセント装置２と接続し、前記コンセント装置２に接続されたケーブル１９は内部で前記検知ユニット７に接続されている。前記センサ装置１８は画面より放射される光の量を感知する光センサ、スピーカより発生する音を感知する音響センサ、前記ＴＶ受像機３内部の発熱性を有する装置の影響により発生する温度変化を感知する温度センサの何れかの内、少なくとも二つを備えており、これら複数のセンサが感知する信号を前記検知ユニット７に出力し、前記検知ユニット７はそれらセンサ出力により前記ＴＶ受像機３の電源状態のオン／オフを感知し、電源オフ時にオフ用検知信号を前記送信ユニット６に出力する。
【００２１】
前記センサ装置１８に取り付けるセンサは、光センサと温度センサ、または、光センサと音響センサ、または、音響センサと光センサの組み合わせの何れでも良い。
【００２２】
上述の実施形態３のように、前記コンセント装置２が前記センサ装置１８を備え、前記ＴＶ受像機３の電源状態を前記センサ装置１８に備えた複数のセンサで検知することにより、検知精度が上がり、前記ブースタ１の電源制御の信頼性が向上するという効果が有る。
【００２３】
【発明の効果】
上述のように請求項１の発明は、ＴＶ受像機の電源がオン／オフのどちらの電源状態であるかを検知する検知手段、前記検知手段により検知された前記ＴＶ受像機の電源状態に応じてオン、オフ用の電源制御信号をアンテナケーブルを介してブースタに送信する送信手段を備えると共に、アンテナより受信した受信信号を増幅すると共にアンテナケーブルを介して前記ＴＶ受像機へ送出する増幅手段を含む内部回路と前記内部回路に電源を供給する電源部と前記送信手段により送信された前記電源制御信号に基づいて前記電源部の電源供給をオン／オフする電源制御手段を有する前記ブースタを備えたので、前記ＴＶ受像機の電源状態に連動し前記ブースタの電源をオン／オフが行えるので、前記ブースタの電力消費を抑えることができるという効果がある。
また、前記アンテナケーブルを介して前記ブースタからの前記受信信号を前記ＴＶ受像機に供給する受信信号コンセントと前記ＴＶ受像機へ電力を供給する電源コンセントを設けたコンセント装置が前記検知手段と前記送信手段を備えているので、前記検知手段と前記送信手段とを近接配置できる為、信号の伝搬が容易にでき、また、前記コンセント装置の小型化が可能となるという効果がある。
【００２４】
請求項２の発明は、前記検知手段として前記ＴＶ受像機へ供給電力の変化を検知することにより前記ＴＶ受像機の電源状態を検知する手段を用いるので、前記ＴＶ受像機の電源状態が正確に検知することが出来るという効果がある。
【００２５】
請求項３の発明では、前記検知手段として前記ＴＶ受像機の局部発振信号の漏れを検知することにより前記ＴＶ受像機の電源状態を検知する手段を用いるので、前記ＴＶ受像機の電源状態が正確に検知することが出来るという効果がある。
【００２６】
請求項４の発明では、前記検知手段としてセンサ装置を用いて前記ＴＶ受像機の物理的変化を感知することにより前記ＴＶ受像機の電源状態を検知する手段を用いるので、前記ＴＶ受像機の電源状態が正確に検知することが出来るという効果がある。
【００２７】
請求項５の発明では、前記センサ装置が前記ＴＶ受像機のオン／オフの電源状態で物理的変化として、画面の光量の変化、スピーカの音量の変化、前記ＴＶ受像機自身より発生する熱量の変化の内、少なくとも二つ以上を感知するので、ＴＶ受像機の電源状態を検知する信頼性が向上するという効果がある。
【図面の簡単な説明】
【図１】本発明によるＴＶ受信システムの実施形態１を示す構成図である。
【図２】送信ユニットの内部回路図である。
【図３】ブースタの内部回路図である。
【図４】本発明によるＴＶ受信システムの実施形態２を示す構成図である。
【図５】本発明によるＴＶ受信システムの実施形態３を示す構成図である。
【図６】従来のＴＶ受信システムを示す構成図である。
【符号の説明】
１  ブースタ
２  コンセント装置
３  ＴＶ受像機
４  受信信号コンセント
５  電源コンセント
６  送信ユニット
７  検知ユニット
８、８ａ  同軸ケーブル
９  電源コンセント
１０、１１  電源コード
１２  入力端子
１３  出力端子
【図１】
0004378845.tif 000002
【図２】
0004378845.tif 000003
【図３】
0004378845.tif 000004
【図４】
0004378845.tif 000005
【図５】
0004378845.tif 000006
【図６】
0004378845.tif 000007